(57)【要約】【課題】【解決手段】第１の冷蔵用冷却器１５は冷蔵室内を冷却するための冷気を外部で生成するものであり、第１の冷蔵用冷却器１５には第２の冷蔵用冷却器１７が直列に接続されている。この第２の冷蔵用冷却器１７は冷蔵室の壁面に固定された直冷式のものであり、冷蔵室の閉鎖状態では第１の冷蔵用冷却器１５および第２の冷蔵用冷却器１７の双方を用いて冷蔵室内が冷却される。この構成の場合、冷蔵室が開放されると、第２の冷蔵用冷却器１７に対する冷媒の供給動作が停止し、第２の冷蔵用冷却器１７が昇温する。このため、第２の冷蔵用冷却器１７で結露・氷結が生じることを防止できる。【選択図】  図３
2004183952.tif 000002
【特許請求の範囲】
【請求項１】
食品が収納される冷蔵室と、
前記冷蔵室内に送風される風を前記冷蔵室の外部で冷却する室外冷却器と、
前記冷蔵室内に送風された風を前記冷蔵室の内部で冷却する室内冷却器と、
前記室内冷却器の温度を制御する温度制御手段と
を備えたことを特徴とする冷蔵庫。
【請求項２】
温度制御手段は、室内冷却器に対する冷媒流量を制御する流量制御手段から構成されていることを特徴とする請求項１記載の冷蔵庫。
【請求項３】
温度制御手段は、室内冷却器を加熱する電気的な熱源から構成されていることを特徴とする請求項１記載の冷蔵庫。
【請求項４】
冷蔵室が開閉されたことを検出する開閉検出手段を備え、
温度制御手段は、開閉検出手段の検出結果に応じて室内冷却器の温度を制御することを特徴とする請求項１〜３のいずれかに記載の冷蔵庫。
【請求項５】
冷蔵室内の温度を検出する温度検出手段を備え、
温度制御手段は、温度検出手段の検出結果に応じて室内冷却器の温度を制御することを特徴とする請求項１〜４のいずれかに記載の冷蔵庫。
【請求項６】
冷蔵室内の湿度を検出する湿度検出手段を備え、
温度制御手段は、湿度検出手段の検出結果に応じて室内冷却器の温度を制御することを特徴とする請求項１〜５のいずれかに記載の冷蔵庫。
【請求項７】
冷凍室内を冷却する冷凍用冷却器を備え、
冷凍用冷却器と室内冷却器と室外冷却器とに冷媒を同時に流通可能に構成されていることを特徴とする請求項１〜６のいずれかに記載の冷蔵庫。
【請求項８】
室内冷却器および室外冷却器は、直列に接続され、
温度制御手段は、室内冷却器および室外冷却器に冷媒を流す状態および室内冷却器を迂回して室外冷却器に冷媒を流す状態間で冷媒流路を切換える流量制御手段から構成されていることを特徴とする請求項７記載の冷蔵庫。
【発明の詳細な説明】
【０００１】
【発明の属する技術分野】
本発明は、冷蔵室内に送風される風を外部で冷却する室外冷却器および冷蔵室内に送風された風を内部で冷却する室内冷却器を有する冷蔵庫に関する。
【０００２】
【従来の技術】
上記冷蔵庫には、冷蔵室の外部に室外冷却器およびファン装置を配設し、ファン装置から冷蔵室内に送風される風を室外冷却器によって冷却する構成のものがある。この構成の場合、冷蔵室内に室内冷却器を配設し、冷蔵室内に送風された風を室内冷却器によって冷却している。
【０００３】
【発明が解決しようとする課題】
上記従来構成の場合、室外冷却器および室内冷却器を用いて冷蔵室内を冷却しているので、室外冷却器および室内冷却器を高温度で使用することができる。このため、冷蔵室内の除湿量が少なくなるので、冷蔵室内を高湿度に保つことができる。しかしながら、冷蔵室内に水分が多い食品を収納したり、冷蔵室を開放した場合に室内冷却器で結露・氷結が生じる虞れがある。この結露・氷結は見栄えの低下だけでなく、食品の水濡れおよび雑菌の発生に繋がる問題である。
本発明は上記事情に鑑みてなされたものであり、その目的は、室内冷却器で結露・氷結が生じることを防止できる冷蔵庫を提供することにある。
【０００４】
【課題を解決するための手段】
＜請求項１〜３に係る発明について＞
請求項１〜３に係る発明は室内冷却器の温度を制御する温度制御手段を設けたものである。この温度制御手段は室内冷却器を加熱する電気的な熱源から構成しても良く、室内冷却器に対する冷媒流量を制御する流量制御手段から構成しても良い。この流量制御手段としては冷媒の供給を停止・許容の２段階で制御する制御手段を用いても良く、冷媒を供給することを原則に供給量を段階的または連続的に変える制御手段を用いても良い。
請求項１〜３に係る各発明によれば、室内冷却器の温度を上げることに基づいて室内冷却器での結露・氷結を防止できる。
【０００５】
＜請求項４に係る発明について＞
請求項４に係る発明は、冷蔵室が開閉されることに応じて室内冷却器の温度を制御するものであり、具体的には冷蔵室が開放されることに基づいて室内冷却器を昇温させ、室内冷却器での結露・氷結を防止する。この冷蔵室の扉は１枚でも良く、複数枚でも良い。特に複数毎の扉が存在するときには少なくとも１枚の扉の開放に基づいて室内冷却器の温度を上げると良い。
室内冷却器の降温は扉の閉鎖を条件に行うことが好ましい。この場合、室内冷却器を扉の閉鎖と同時に降温するのではなく、扉の閉鎖から設定時間が経過した後に降温すると良い。この室内冷却器の待機中には室外冷却器によって冷蔵室内を冷却し、冷蔵室内を結露・氷結が生じない程度に降温しておくと良い。
請求項４に係る発明によれば、冷蔵室が開放されることに基づいて室内冷却器の温度を上げることができるので、特に冷蔵室の開放に伴って室内冷却器で結露・氷結が生じることを防止できる。
【０００６】
＜請求項５に係る発明について＞
請求項５に係る発明は、冷蔵室の庫内温度に応じて室内冷却器の温度を制御するものであり、具体的には庫内温度が基準値を上回るときには室内冷却器を昇温させ、室内冷却器での結露・氷結を防止する。この室内冷却器は庫内温度が基準値を下回ることに基づいて降温することが好ましい。
請求項５に係る発明によれば、冷蔵室が開放されることに基づいて庫内温度が上昇したり、冷蔵室内に高温度の食品が収納されることに基づいて庫内温度が上昇したときには室内冷却器の温度を上げることができるので、冷蔵室の開放や食品の収納に伴って室内冷却器で結露・氷結が生じることを防止できる。
【０００７】
＜請求項６に係る発明について＞
請求項６に係る発明は、冷蔵室の庫内湿度に応じて室内冷却器の温度を制御するものであり、具体的には庫内湿度が基準値を上回るときには室内冷却器を昇温させ、室内冷却器での結露・氷結を防止する。この室内冷却器は庫内湿度が基準値を下回ることに基づいて降温することが好まし。
請求項６に係る発明によれば、冷蔵室が開放されることに基づいて庫内湿度が上昇したり、冷蔵室内に水分が多い食品が収納されることに基づいて庫内湿度が上昇したときには室内冷却器の温度を上げることができるので、冷蔵室の開放や食品の収納に伴って室内冷却器で結露・氷結が生じることを防止できる。
【０００８】
＜請求項７〜８に係る発明について＞
請求項７〜８に係る発明は、室内冷却器と室外冷却器と冷凍用冷却器とを同時に使用可能な冷凍サイクルを用いたところに特徴を有する。この場合、冷媒としては炭化水素系冷媒を用いることが好ましい。
請求項７〜８に係る発明によれば、冷凍用冷却器だけに冷媒を流す冷凍モードおよび室内冷却器・室外冷却器の双方に冷媒を流す冷蔵モード間で運転状態を切換える必要がなくなり、室内冷却器および室外冷却器に冷媒を連続的に流すことができる。このため、室内冷却器および室外冷却器を相対的に高温度で運転することが可能になるので、室内冷却器および室外冷却器での着霜量が減る。従って、冷蔵室内の湿度が高まるので、野菜等の食品の高鮮度保存性が高まる。
【０００９】
【発明の実施の形態】
以下、本発明の第１実施例を図１〜図５に基づいて説明する。
＜冷凍サイクルについて＞
図３のコンプレッサ１はコンプモータ２（図５参照）を駆動源とする２ステージ形のものであり、中圧加圧用の第１段圧縮室３および高圧加圧用の第２段圧縮室４を有している。このコンプレッサ１には高圧側吐出口５と中間圧側吸込口６と低圧側吸込口７とが設けられており、低圧側吸込口７から吸込まれる冷媒は第１段圧縮室３内で中間圧に加圧され、中間圧側吸込口６から吸込まれる冷媒と合流して混合される。この混合冷媒は高圧加圧用の第２段圧縮室４内で高圧に加圧され、高圧側吐出口５から吐出される。
【００１０】
コンプレッサ１の高圧側吐出口５には凝縮器８が接続されており、凝縮器８の出口にはバルブソレノイド９（図５参照）を駆動源とする経路切換弁１０の入口１１が接続されている。この切換弁１０は第１の出口１２および第２の出口１３を有するものであり、第１の出口１２および第２の出口１３はバルブソレノイド９がオンオフされることに基づいて選択的に開放される。尚、切換弁１０は温度制御手段および流量制御手段に相当するものである。
【００１１】
切換弁１０の第１の出口１２には第１の冷蔵用キャピラリーチューブ１４の入口が接続されている。この第１の冷蔵用キャピラリーチューブ１４の出口には室外冷却器に相当する第１の冷蔵用冷却器１５の入口が接続されており、第１の出口１２の開放時には冷媒が第１の冷蔵用キャピラリーチューブ１４から第１の冷蔵用冷却器１５に供給される。
【００１２】
切換弁１０の第２の出口１３には第２の冷蔵用キャピラリーチューブ１６の入口が接続されており、第２の冷蔵用キャピラリーチューブ１６の出口には室内冷却器に相当する第２の冷蔵用冷却器１７の入口が接続されている。この第２の冷蔵用冷却器１７の出口には第１の冷蔵用冷却器１５の入口が接続されており、第２の出口１３の開放時には冷媒が第２の冷蔵用キャピラリーチューブ１６を通して第２の冷蔵用冷却１７および第１の冷蔵用冷却器１５に供給される。
【００１３】
第１の冷蔵用冷却器１５の出口には気液分離器１８の入口が接続されている。この気液分離器１８は第１の出口１９および第２の出口２０を有するものであり、第１の出口１９は冷蔵用サクションパイプ２１を介してコンプレッサ１の中間圧側吸込口６に接続され、第２の出口２０には冷凍用キャピラリーチューブ２２の入口が接続されている。この冷凍用キャピラリーチューブ２２の出口には冷凍用冷却器２３の入口が接続されており、冷凍用冷却器２３の出口は冷凍用サクションパイプ２４を介してコンプレッサ１の低圧側吸込口７に接続されている。
【００１４】
コンプレッサ１の高圧側吐出口５から吐出された高圧ガス冷媒は凝縮器８内で凝縮して高圧２相冷媒になる。この冷媒は炭化水素系冷媒（具体的にはＲ６００ａ）からなるものであり、下記▲１▼および▲２▼に示すように、切換弁１０の状態に応じた経路で気液分離器１８内に流入する。
【００１５】
▲１▼  切換弁１０の第１の出口１２が開放されている場合
凝縮器８からの高圧２相冷媒が第１の冷蔵用キャピラリーチューブ１４で減圧されることに基づいて中間圧の２相冷媒になり、第２の冷蔵用冷却器１７を経由せずに第１の冷蔵用冷却器１５内に流入する。この中間圧の２相冷媒は第１の冷蔵用冷却器１５内で一部が蒸発し、２相状態で気液分離器１８内に流入する。
【００１６】
▲２▼  切換弁１０の第２の出口１３が開放されている場合
凝縮器８からの高圧２相冷媒が第２の冷蔵用キャピラリーチューブ１６で減圧されることに基づいて中間圧の２相冷媒になり、第２の冷蔵用冷却器１７内および第１の冷蔵用冷却器１５内に流入する。この中間圧の２相冷媒は第２の冷蔵用冷却器１７内および第１の冷蔵用冷却器１５内で一部が蒸発し、２相状態で気液分離器１８内に流入する。
【００１７】
気液分離器１８内に流入した２相冷媒は気液分離器１８内で液冷媒およびガス冷媒に分離される。このうちガス冷媒は冷蔵用サクションパイプ２１を通ってコンプレッサ１の中間圧側吸込口６内に吸込まれる。また、液冷媒は冷凍用キャピラリーチューブ２２で減圧され、低圧の２相冷媒となって冷凍用冷却器２３内に流入し、冷凍用サクションパイプ２４を通ってコンプレッサ１の低圧側吸込口７内に吸込まれる。
【００１８】
コンプレッサ１の低圧側吸込口７内に吸込まれた低圧冷媒は第１段圧縮室３内で中間圧に加圧され、中間圧側吸込口６内に吸込まれた冷媒と合流・混合する。そして、第２段圧縮室４内で高圧に加圧され、高圧側吐出口５から吐出される。この冷凍サイクルによれば、第１の冷蔵用冷却器１５・第２の冷蔵用冷却器１７および冷凍用冷却器２３を異なる温度で連続使用できるので、第１の冷蔵用冷却器１５および第２の冷蔵用冷却器１７の温度が必要以上に下がることがない。このため、サイクルの熱効率を高めることができ、しかも、第１の冷蔵用冷却器１５および第２の冷蔵用冷却器１７での着霜量を減らして冷蔵室内を高湿度に保つことができる。
【００１９】
＜冷蔵庫の内部構成について＞
冷蔵庫本体３１は、図１に示すように、前面が開口する矩形箱状をなすものであり、外箱３２および内箱３３間に断熱材３４を充填することに基づいて構成されている。この冷蔵庫本体３１内の後端部には機械室３５が形成されており、機械室３５内にはコンプレッサ１が固定されている。
【００２０】
冷蔵庫本体３１内には最下部に位置して冷凍室３６が形成されている。この冷凍室３６の前面には扉３７が前後方向へスライド可能に装着されており、冷凍室３６の前面は扉３７のスライド操作に基づいて開閉される。また、冷蔵庫本体３１内には冷凍室３６の上段に位置して製氷室３８が形成されており、製氷室３８の前面には扉３９が前後方向へスライド可能に装着されている。この製氷室３８は冷凍室３６内に通じるものであり、製氷室３８の前面は扉３９のスライド操作に基づいて開閉される。
【００２１】
冷蔵庫本体３１内には冷凍室３６および製氷室３８の後方に位置して冷凍用冷気生成室４０が形成されており、冷凍用冷気生成室４０内には冷凍用冷却器２３が固定されている。この冷凍用冷却器２３はフィンアンドチューブ熱交換器を使用したものであり、蛇行状の冷却パイプに複数の冷却フィンを固定することに基づいて構成されている。
【００２２】
冷凍用冷気生成室４０内には冷凍用冷却器２３の上方に位置して冷凍用ファン装置４１が固定されている。この冷凍用ファン装置４１は冷凍用ファンモータ４２の回転軸に冷凍用ファン４３を固定することに基づいて構成されたものであり、冷凍用ファン４３の回転時には、矢印で示すように、冷凍用ファン４３から製氷室３８内に風が吐出される。この風は製氷室３８内から冷凍室３６内を通して冷凍用冷気生成室４０内に吸引され、冷凍用冷却器２３を通して冷凍用ファン４３から製氷室３８内に再び吐出される。冷凍用冷却器２３は風の循環中に風から熱を奪うことに基づいて冷風を生成するものであり、冷凍室３６内および製氷室３８内は冷凍用冷却器２３が生成する冷風により冷却される。
【００２３】
冷蔵庫本体３１内には製氷室３８の上段に位置して野菜室４４が形成されている。この野菜室４４の前面には扉４５が前後方向へスライド可能に装着されており、野菜室４４の前面は扉４５のスライド操作に基づいて開閉される。また、冷蔵庫本体３１内には野菜室４４の上段に位置して冷蔵室４６が形成されており、冷蔵室４６の前面には扉４７が垂直な軸を中心に回動可能に装着されている。この冷蔵室４６は野菜室４４内に通じるものであり、冷蔵室４６の前面は扉４７の回動操作に基づいて開閉される。尚、野菜室４４は冷蔵室に相当するものである。
【００２４】
冷蔵庫本体３１内には野菜室４４の後方に位置して冷蔵用冷気生成室４８が形成されており、冷蔵用冷気生成室４８内には第１の冷蔵用冷却器１５が固定されている。この第１の冷蔵用冷却器１５はフィンアンドチューブ熱交換器を使用したものであり、蛇行状の冷却パイプに複数の冷却フィンを固定することに基づいて構成されている。また、冷蔵用冷気生成室４８の上端部には垂直な庫内ダクト４９が接続されている。この庫内ダクト４９は冷蔵室４６内の後端部に固定されたものであり、庫内ダクト４９には冷蔵室４６内に開口する複数の吹出口５０が形成されている。
【００２５】
冷蔵用冷気生成室４８内には第１の冷蔵用冷却器１５の上方に位置して冷蔵用ファン装置５１が固定されている。この冷蔵用ファン装置５１は冷蔵用ファンモータ５２の回転軸に冷蔵用ファン５３を固定することに基づいて構成されたものであり、冷蔵用ファン５３の回転時には、矢印で示すように、冷蔵用ファン５３から庫内ダクト４９内に風が吐出され、庫内ダクト４９の複数の吹出口５０から冷蔵室４６内に吐出される。この風は冷蔵室４６内から野菜室４４内を通して冷蔵用冷気生成室４８内に吸引され、第１の冷蔵用冷却器１５を通して冷蔵用ファン５３から庫内ダクト４９内に再び吐出される。第１の冷蔵用冷却器１５は冷蔵室４６内および野菜室４４内に吐出される風を冷蔵室４６および野菜室４４の外部で冷却するものであり、野菜室４４内および冷蔵室４６内は第１の冷蔵用冷却器１５が生成する冷風により冷却される。
【００２６】
断熱材３４には、図２に示すように、野菜室４４内および冷蔵室４６内の左右両側壁に位置して左壁面冷却器５４および右壁面冷却器５５が埋設されている。これら左壁面冷却器５４および右壁面冷却器５５は第２の冷蔵用冷却器１７を構成するものであり、冷却板に蛇行状の冷却パイプを固定したパイプオンシート形熱交換器から構成されている。これら左壁面冷却器５４および右壁面冷却器５５は冷却板が内箱３３に密着配置されたものであり、野菜室４４内および冷蔵室４６内を流通する冷風を冷蔵室４６内および野菜室４４内で冷却する。
【００２７】
冷蔵室４６の扉４７内には、図５に示すように、制御装置５６が埋設されている。この制御装置５６はマイクロコンピュータを主体に構成されたものであり、ＣＰＵ，ＲＯＭ，ＲＡＭ，Ｉ／Ｏを有している。この制御装置５６の出力端子には駆動回路５７を介してコンプモータ２，バルブソレノイド９，冷凍用ファンモータ４２，冷蔵用ファンモータ５２が電気的に接続されており、制御装置５６はコンプモータ２〜冷蔵用ファンモータ５２を駆動制御することに伴い食品の冷蔵保存および冷凍保存を行う。
【００２８】
制御装置５６の入力端子には冷凍室用温度センサ５８および冷蔵室用温度センサ５９が電気的に接続されている。これら冷凍室用温度センサ５８および冷蔵室用温度センサ５９は冷凍室３６および冷蔵室４６の庫内温度に応じた電気信号を出力するものであり、制御装置５６は冷凍室用温度センサ５８および冷蔵室用温度センサ５９からの出力信号に基づいて冷凍室３６の庫内温度および冷蔵室４６の庫内温度を検出する。尚、冷蔵室用温度センサ５９は温度検出手段に相当するものである。
【００２９】
制御装置５６の入力端子には開閉検出手段に相当する扉スイッチ６０が電気的に接続されている。この扉スイッチ６０は冷蔵室４６の扉４７が開閉されることに基づいて状態が変わる機械的スイッチからなるものであり、制御装置５６は扉スイッチ６０の状態に応じて冷蔵室４６の開閉を検出する。また、制御装置５６の入力端子には温度ダイアル６１が電気的に接続されている。この温度ダイアル６１はロータリエンコーダからなるものであり、制御装置５６は温度ダイアル６１からの出力信号に基づいて冷蔵室４６の庫内温度Ｔｏを「１°Ｃ〜１０°Ｃ」の範囲内で設定する。
【００３０】
次に上記構成の作用について説明する。尚、下記動作は制御装置５６がＲＯＭに記録された制御プログラムに基づいて実行するものである。
制御装置５６は電源が投入されると、図４のステップＳ１で野菜室４４内および冷蔵室４６内を冷却する。この冷却処理は冷蔵室用温度センサ５９からの出力信号に基づいてコンプモータ２をオンオフ制御し、冷蔵室４６内を設定温度Ｔｏに保持するものであり、制御装置５６は切換弁１０の第２の出口１３を開放することに基づいて第１の冷蔵用冷却器１５および第２の冷蔵用冷却器１７の双方に冷媒を流す。この冷却処理は冷蔵用ファンモータ５２の駆動状態で行われるものであり、野菜室４４内および冷蔵室４６内は第２の冷蔵用冷却器１７によって直接的に冷却され、しかも、第１の冷蔵用冷却器１５からの冷風によって冷却される。
【００３１】
制御装置５６はステップＳ２へ移行すると、扉スイッチ６０からの出力信号に基づいて冷蔵室４６の開放の有無を判断する。ここで冷蔵室４６の開放を検出したときにはステップＳ３で切換弁１０の第１の出口１２を開放し、第２の冷蔵用冷却器１７を迂回して第１の冷蔵用冷却器１５に冷媒を流す。この冷蔵室４６の開放状態では第１の冷蔵用冷却器１５の有効状態で冷蔵用ファン装置５１が駆動しているものの、冷蔵室４６の庫内温度Ｔが設定温度Ｔｏに比べて高くなる。
【００３２】
制御装置５６はステップＳ４へ移行すると、扉スイッチ６０からの出力信号に基づいて冷蔵室４６の閉鎖の有無を判断する。ここで冷蔵室４６の閉鎖を検出したときにはステップＳ５でタイマをスタートさせ、待機時間の計測動作を開始する。そして、ステップＳ６へ移行し、タイマの計測値が設定値（具体的には「１０分」）に達したか否かを判断する。この冷蔵室４６の閉鎖状態では第１の冷蔵用冷却器１５の有効状態で冷蔵用ファン装置５１が駆動しているので、第１の冷蔵用冷却器１５から冷蔵室４６内に冷気が送風され、冷蔵室４６の庫内温度Ｔが開放時に比べて低下する。
【００３３】
制御装置５６はタイマの計測値が設定値に達したことを検出すると、ステップＳ７でタイマを停止し、ステップＳ１に復帰する。ここで切換弁１０の第２の出口１３を開放し、第１の冷蔵用冷却器１５および第２の冷蔵用冷却器１７の双方に冷媒を流す。そして、冷蔵室４６内を第１の冷蔵用冷却器１５からの冷風に加え、第２の冷蔵用冷却器１７によって直接的に冷却し、冷蔵室４６内を設定温度Ｔｏに保持する。
【００３４】
上記第１実施例によれば、第２の冷蔵用冷却器１７に対する冷媒流量を制御することに基づいて第２の冷蔵用冷却器１７の温度を制御する切換弁１０を設けた。このため、第２の冷蔵用冷却器１７に対する冷媒の供給動作を制限することに基づいて第２の冷蔵用冷却器１７の温度を上げ、冷蔵室４６の内面および野菜室４４の内面に結露・氷結が生じることを防止できる。
また、冷蔵室４６が開放されることに基づいて第２の冷蔵用冷却器１７に対する冷媒の供給動作を停止し、第２の冷蔵用冷却器１７を昇温させたので、特に冷蔵室４６の開放に伴って冷蔵室４６の内面および野菜室４４の内面に結露・氷結が生じることを防止できる。
【００３５】
また、第１の冷蔵用冷却器１５と第２の冷蔵用冷却器１７と冷凍用冷却器２３とを同時に使用可能な冷凍サイクルを用いたので、冷凍用冷却器２３だけに冷媒を流す冷凍モードおよび第１の冷蔵用冷却器１５・第２の冷蔵用冷却器１７の双方に冷媒を流す冷蔵モード間で運転状態を切換える必要がなくなり、第１の冷蔵用冷却器１５および第２の冷蔵用冷却器１７に冷媒を連続的に流すことができる。このため、第１の冷蔵用冷却器１５および第２の冷蔵用冷却器１７を相対的に高温度で運転することが可能になるので、冷蔵室４６および野菜室４４の内面に対する着霜量が減る。従って、冷蔵室４６内および野菜室４４内の湿度が高まるので、野菜等の食品の高鮮度保存性が高まる。
【００３６】
尚、上記第１実施例においては、冷蔵室４６の扉４７が開放されることに基づいて第２の冷蔵冷却器１７に対する冷媒の供給動作を停止したが、これに限定されるものではなく、例えば野菜室４４の扉４５が開放されることに基づいて第２の冷蔵冷却器１７に対する冷媒の供給動作を停止しても良い。この場合、野菜室４４の扉４５が閉鎖されてから設定時間が経過することに基づいて第２の冷蔵冷却器１７に対する冷媒の供給動作を再開すると良い。
【００３７】
また、上記第１実施例においては、第２の冷蔵用冷却器１７の温度を制御する手段として切換弁１０を用いたが、これに限定されるものではなく、例えば流量制御弁を用いても良い。この流量制御弁は第２の出口の開度がバルブモータの回転量に応じて変わるものであり、冷蔵室４６の扉４７が開放されたり、野菜室４４の扉４５が開放されたときには第２の出口の開度を大きくする（調節する）ことに基づいて第２の冷蔵用冷却器１７の温度を上げることにより結露・氷結を防止すると良い。
【００３８】
また、上記第１実施例においては、第２の冷蔵用冷却器１７の温度を制御する手段として冷媒流量制御手段を用いたが、これに限定されるものではなく、例えば電気的ヒータ等の熱源を用いても良い。この場合、冷蔵室４６の扉４７が開放されたり、野菜室４４の扉４５が開放されたときには熱源を駆動することに基づいて第２の冷蔵用冷却器１７を加熱すると良い。
【００３９】
次に本発明の第２実施例を図６に基づいて説明する。制御装置５６は電源が投入されると、ステップＳ１１で冷蔵室４６の庫内温度Ｔを検出し、設定温度Ｔｏと比較する。ここで「庫内温度Ｔ≧設定温度Ｔｏ」を検出したときには第２の冷蔵用冷却器１７の使用の有無を庫内温度Ｔに応じて選択し、野菜室４４内および冷蔵室４６内を第１の冷蔵用冷却器１５だけを用いて冷却するシングル冷却モードおよび第１の冷蔵用冷却器１５・第２の冷蔵用冷却器１７の双方を用いて冷却するダブル冷却モードを選択的に実行する。また、ステップＳ１１で「庫内温度Ｔ＜設定温度Ｔｏ」を検出したときにはステップＳ１２およびＳ１３でコンプレッサ１および冷蔵用ファン装置５１を駆動停止し、野菜室４４内および冷蔵室４６内の冷却運転を停止する。以下、「庫内温度Ｔ≧設定温度Ｔｏ」が検出された場合の処理内容について説明する。
【００４０】
制御装置５６はステップＳ１４へ移行すると、庫内温度Ｔを基準温度Ｔｈ（具体的には６℃）と比較する。ここで「庫内温度Ｔ≧基準温度Ｔｈ」を検出すると、ステップＳ１５で切換弁１０の第１の出口１２を開放することに基づいて第１の冷蔵用冷却器１５だけを有効化する。そして、ステップＳ１８でコンプレッサ１を駆動することに基づいて第１の冷蔵用冷却器１５だけに冷媒を流し、ステップＳ１９で冷蔵用ファン装置５１を駆動することに基づいて冷蔵室４６内および野菜室４４内をシングル冷却モードで冷却する。
【００４１】
制御装置５６はステップＳ１４で「庫内温度Ｔ＜基準温度Ｔｈ」を検出すると、ステップＳ１６で庫内温度Ｔを基準温度Ｔｌ（具体的には５℃）と比較する。ここで「庫内温度Ｔ≦基準温度Ｔｌ」を検出したときにはステップＳ１７で切換弁１０の第２の出口１３を開放し、第１の冷蔵用冷却器１５および第２の冷蔵用冷却器１７の双方を有効化する。そして、ステップＳ１８およびＳ１９へ移行し、冷蔵室４６内および野菜室４４内をダブル冷却モードで冷却する。また、ステップＳ１６で「庫内温度Ｔ＞基準温度Ｔｌ」を検出したときにはステップＳ１８および１９へ移行し、冷蔵室４６内および野菜室４４内を現状の冷却モードで冷却する。
【００４２】
上記第２実施例によれば、冷蔵室４６の庫内温度Ｔが基準値Ｔｈ以上であるときには第２の冷蔵用冷却器１７に対する冷媒の供給動作を停止することに基づいて第２の冷蔵用冷却器１７を昇温させたので、冷蔵室４６および野菜室４４の開放に伴って冷蔵室４６の内面および野菜室４４の内面に結露・氷結が生じたり、冷蔵室４６内および野菜室４４内に高温度の食品が収納されることに基づいて冷蔵室４６の内面および野菜室４４の内面に結露・氷結が生じることを防止できる。
【００４３】
次に本発明の第３実施例を図７に基づいて説明する。制御装置５６の入力端子には湿度検出手段に相当する湿度センサ（図示せず）が電気的に接続されている。この湿度センサは冷蔵室４６内の湿度に応じた電気信号を出力するものであり、制御装置５６は湿度センサからの出力信号に基づいて冷蔵室４６内の湿度Ｈを検出する。
【００４４】
制御装置５６は電源が投入されると、ステップＳ１１で冷蔵室４６の庫内温度Ｔを検出し、設定温度Ｔｏと比較する。ここで「庫内温度Ｔ≧設定温度Ｔｏ」を検出したときには第２の冷蔵用冷却器１７の使用の有無を庫内湿度Ｈに応じて選択し、野菜室４４内および冷蔵室４６内をシングル冷却モード・ダブル冷却モードで選択的に冷却する。以下、「庫内温度Ｔ≧設定温度Ｔｏ」が検出された場合の処理内容について説明する。
【００４５】
制御装置５６はステップＳ２１へ移行すると、庫内湿度Ｈを基準湿度Ｈｈ（具体的には９５％）と比較する。ここで「庫内湿度Ｈ≧基準湿度Ｈｈ」を検出すると、ステップＳ１５からＳ１８およびＳ１９へ移行し、冷蔵室４６内および野菜室４４内をシングル冷却モードで冷却する。
【００４６】
制御装置５６はステップＳ２１で「庫内湿度Ｈ＜基準湿度Ｈｈ」を検出すると、ステップＳ２２で庫内湿度Ｈを基準湿度Ｈｌ（具体的には９０％）と比較する。ここで「庫内湿度Ｈ≦基準湿度Ｈｌ」を検出したときにはステップＳ１７からＳ１８およびＳ１９へ移行し、冷蔵室４６内および野菜室４４内をダブル冷却モードで冷却する。また、ステップＳ２２で「庫内湿度Ｈ＞基準湿度Ｈｌ」を検出したときにはステップＳ１８およびＳ１９へ移行し、冷蔵室４６内および野菜室４４内を現状の冷却モードで冷却する。
【００４７】
上記第３実施例によれば、冷蔵室４６の庫内湿度Ｈが基準値Ｈｈ以上であるときには第２の冷蔵用冷却器１７に対する冷媒の供給動作を停止することに基づいて第２の冷却器１７を昇温させたので、冷蔵室４６および野菜室４４の開放に伴って冷蔵室４６の内面および野菜室４４の内面に結露・氷結が生じたり、冷蔵室４６内および野菜室４４内に水分が多い食品が収納されることに基づいて冷蔵室４６の内面および野菜室４４の内面に結露・氷結が生じることを防止できる。
【００４８】
尚、上記第２〜第３実施例においては、第２の冷蔵用冷却器１７の温度を制御する手段として切換弁１０を用いたが、これに限定されるものではなく、例えば流量制御弁を用いても良い。この場合、庫内温度Ｔが基準温度Ｔｈ以上であったり、庫内湿度Ｈが基準湿度Ｈｈ以上であるときにはステップＳ１５で流量制御弁の第２の出口の開度を大きくする（調節する）ことに基づいて第２の冷蔵用冷却器１７に対する冷媒流量を減らすと良い。
【００４９】
また、上記第２〜第３実施例においては、第２の冷蔵用冷却器１７の温度を制御する手段として冷媒流量制御手段を用いたが、これに限定されるものではなく、例えば熱源を用いても良い。この場合、庫内温度Ｔが基準温度Ｔｈ以上であったり、庫内湿度Ｈが基準湿度Ｈｈ以上であるときにはステップＳ１５で熱源を駆動することに基づいて第２の冷蔵用冷却器１７を加熱すると良い。
また、上記第１〜第３実施例においては、左壁面冷却器５４および右壁面冷却器５５を断熱材３４内に埋設したが、これに限定されるものではなく、例えば冷蔵室４６内および野菜室４４内に露出するように内箱３３内の左側面および右側面に固定しても良い。
【００５０】
また、上記第１〜第３実施例においては、第２の冷蔵用冷却器１７を第１の冷蔵用冷却１５の上流側に直列に接続したが、これに限定されるものではなく、例えば第１の冷蔵用冷却器１５の下流側に直列に接続したり、第１の冷蔵用冷却器１５に対して並列に接続しても良い。
また、上記第１〜第３実施例においては、第２の冷蔵用冷却１７を冷蔵室４６および野菜室４４の側面に設けたが、これに限定されるものではなく、例えば天井面に設けても良い。
【図面の簡単な説明】
【図１】本発明の第１実施例を示す図（冷蔵庫の内部構成を示す断面図）
【図２】左壁面冷却器および右壁面冷却器の設置状態を示す図
【図３】冷凍サイクルを示す図
【図４】制御装置の制御内容を示すフローチャート
【図５】電気的構成を示すブロック図
【図６】本発明の第２実施例を示す図４相当図
【図７】本発明の第３実施例を示す図４相当図
【符号の説明】
１０は切換弁（温度制御手段，流量制御手段）、１５は第１の冷蔵用冷却器（室外冷却器）、１７は第２の冷蔵用冷却器（室内冷却器）、２３は冷凍用冷却器、４４は野菜室（冷蔵室）、４６は冷蔵室、５９は冷蔵室用温度センサ（温度検出手段）、６０は扉スイッチ（開閉検出手段）を示す。
【図１】
2004183952.tif 000003
【図２】
2004183952.tif 000004
【図３】
2004183952.tif 000005
【図４】
2004183952.tif 000006
【図５】
2004183952.tif 000007
【図６】
2004183952.tif 000008
【図７】
2004183952.tif 000009